(57)【要約】【課題】  電力蓄積装置の故障を表示することができ、また、電力蓄積装置が強制充電状態にあることも判別することができるエレベータの故障表示装置を提供する。【解決手段】  交流電力を直流電力に変換して直流母線に供給し、上記直流母線の直流をインバータによって可変電圧、可変周波数の交流に変換して交流モータに供給し、この交流モータによってエレベータを駆動すると共に、上記直流母線に電力蓄積装置２を接続し、上記エレベータの回生運転時に上記直流母線から上記電力蓄積装置２に直流電力を蓄積し、上記エレベータの力行運転時に上記電力蓄積装置２から上記直流母線に直流電力を供給するようにしたエレベータにおいて、上記電力蓄積装置２に故障が発生した場合に、エレベータかご室内に設けられた表示灯５を故障表示用の点滅タイミングで点滅させるようにした構成。【選択図】        図１
2005096900.tif 000002
【特許請求の範囲】
【請求項１】
交流電力を直流電力に変換して直流母線に供給し、上記直流母線の直流をインバータによって可変電圧、可変周波数の交流に変換して交流モータに供給し、この交流モータによってエレベータを駆動すると共に、上記直流母線に電力蓄積装置を接続し、上記エレベータの回生運転時に上記直流母線から上記電力蓄積装置に直流電力を蓄積し、上記エレベータの力行運転時に上記電力蓄積装置から上記直流母線に直流電力を供給するようにしたエレベータにおいて、上記電力蓄積装置に故障が発生した場合に、エレベータかご室内に設けられた表示灯を故障表示用の点滅タイミングで点滅させるようにしたことを特徴とするエレベータの故障表示装置。
【請求項２】
上記電力蓄積装置が上記直流母線からの強制充電状態である場合には、上記表示灯を強制充電表示用の点滅タイミングで点滅させるようにしたことを特徴とする請求項１記載のエレベータの故障表示装置。
【請求項３】
上記表示灯の点灯状態は、故障内容に対応して異なる内容に設定されることを特徴とする請求項１記載のエレベータの故障表示装置。
【発明の詳細な説明】
【技術分野】
【０００１】
この発明は、エレベータの故障表示装置、特に二次電池などの電力蓄積装置を応用した省エネルギー形のエレベータの故障表示装置に関するものである。
【背景技術】
【０００２】
従来の電力蓄積装置を応用したエレベータは、三相交流電源から出力される交流電力をコンバータによって直流電力に変換して直流母線に供給し、上記直流母線の直流をインバータによって所望の可変電圧、可変周波数の交流に変換して交流モータに供給し、この交流モータによって駆動される巻上機に巻き掛けられたロープに結合されたかご室及び釣り合い錘を昇降制御すると共に、上記直流母線に二次電池などの電力蓄積装置を接続し、無負荷でのかご室の上昇運転や定員乗車でのかご室の下降運転などのエレベータの回生運転時に直流母線からの充電回路を形成して直流電力を蓄積し、無負荷でのかご室の下降運転や定員乗車でのかご室の上昇運転などのエレベータの力行運転時に放電回路を形成して、蓄積された直流電力を直流母線に供給するようにされている。（例えば特許文献１及び２参照）。
【０００３】
【特許文献１】特開２００２−２１１８５５号公報（段落０００２−０００４、図４）
【特許文献２】特開２００１−００５３７７号公報
【発明の開示】
【発明が解決しようとする課題】
【０００４】
従来のこの種エレベータは上記のように構成され、エレベータの回生運転時に発生する回生電力を電力蓄積装置に充電し、商用電源が停電した場合には、停電前に蓄積していた電力を用いてエレベータを連続運転させるため、何らかのトラブルにより電力蓄積装置が故障した場合には、充放電機能は停止するが、エレベータは通常使用が可能であるため、電力蓄積装置の故障に気付くことなくエレベータを継続使用してしまい、停電発生時に初めて電力蓄積装置の故障が発覚するという問題点があった。
【０００５】
なお、この問題点は、保守契約がされている客先である場合には、遠隔発報装置などにより保守員に故障を表示することができるため、問題を回避することが可能であったが、保守契約が未契約である場合においては、外部への故障の表示手段は特別な機器を使用するか、昇降路内に設置されている電力蓄積装置に直接アクセスする以外に方法がなかった。
また、電力蓄積装置は充電能力の低下を防ぐために強制的な充電を一定期間毎に実施する必要があるが、強制充電を開始したかどうかについては上記の問題と同様に、特別な機器を使用しなければ外部で判断することができないという問題点があった。
【０００６】
この発明は上記のような問題点を解消するためになされたもので、電力蓄積装置の故障を表示することができ、また、電力蓄積装置が強制充電状態にあることも判別することができるエレベータの故障表示装置を提供することを目的とする。
【課題を解決するための手段】
【０００７】
この発明に係るエレベータの故障表示装置は、交流電力を直流電力に変換して直流母線に供給し、上記直流母線の直流をインバータによって可変電圧、可変周波数の交流に変換して交流モータに供給し、この交流モータによってエレベータを駆動すると共に、上記直流母線に電力蓄積装置を接続し、上記エレベータの回生運転時に上記直流母線から上記電力蓄積装置に直流電力を蓄積し、上記エレベータの力行運転時に上記電力蓄積装置から上記直流母線に直流電力を供給するようにしたエレベータにおいて、上記電力蓄積装置に故障が発生した場合に、エレベータかご室内に設けられた表示灯を故障表示用の点滅タイミングで点滅させるようにしたものである。
【発明の効果】
【０００８】
この発明に係るエレベータの故障表示装置は以上のように構成されているため、電力蓄積装置の故障にもかかわらず、エレベータを継続使用する事態を防止することができ、また、電力蓄積装置が強制充電状態にあることをかご室内で判別することができるため、電力蓄積装置のメンテナンス性を向上させることができる。
【発明を実施するための最良の形態】
【０００９】
実施の形態１．
以下、この発明の実施の形態１を図にもとづいて説明する。図１は、実施の形態１によるエレベータの全体的な制御構成を示すブロック図である。
図１に示すように、実施の形態１は、上述した直流母線に接続され、エレベータの回生運転時に発生する回生電力を蓄積する電力蓄積装置２と、電力蓄積装置２の故障を判定し、故障の内容に対応した出力を生ずる故障判定装置３と、電力蓄積装置２が商用電源による強制充電を実施していることを判定し、それに対応した出力を生ずる強制充電判定装置４と、上記故障判定装置３及び強制充電判定装置４からの出力を受けてエレベータのかご室内の表示装置５の各種表示器を制御するエレベータ制御回路１とから構成されている。
【００１０】
なお、かご室内の表示装置５は乗客または保守員にエレベータの状態を表示するためのもので、図２に示すような各要素から構成されている。即ち、６はエレベータのかご室の階床位置を乗客に表示する階床表示器であり、７はエレベータの移動方向を表示する上または下の方向表示器、８は火災・地震・故障などが発生した場合に乗客に降車を指示する降車案内表示灯、９は停電発生時に電力蓄積装置２に蓄えられた電力の放電によりエレベータを動作させている状態であることを乗客に案内表示する停電時自動運転表示灯である。
【００１１】
図３は、故障判定装置３からエレベータ制御回路１に対して出力され、かご室内表示装置５に表示される電力蓄積装置２の故障情報報告用の信号の一例を示すもので、この信号はエレベータ制御回路１を経てかご室内表示装置５の停電時自動運転表示灯９に与えられるものである。信号の形態は図示のように、特殊点滅信号とされ、点滅周期が点灯時間0.6sec、消灯時間0.6secの一周期1.2secとされ、３周期の点滅を繰り返した後、２周期分消灯する。
以後は、これを繰り返すことになる。停電時自動運転表示灯９のこのような点滅によって故障表示が行なわれる。
【００１２】
次に、図４に示すフローチャートを用いてこの実施の形態の動作を詳細に説明する。
ステップＳ１において、故障判定装置３が電力蓄積装置２の故障を検出し、エレベータ制御回路１に故障情報が報告されているかどうかを確認する。故障が検出されておれば、ステップＳ２でエレベータ制御回路１はかご室内表示装置５の停電時自動運転表示灯９に対し、上述した特殊点滅信号を出力する。
【００１３】
これにより、停電時自動運転表示灯９は、0.6secの点灯及び0.6secの消灯を３回繰り返し、続いて2.4sec消灯した後に、再度0.6secの点灯及び0.6secの消灯を３回繰り返す特殊点滅を実施する。なお、ステップＳ１において、電力蓄積装置２の故障を検出していない場合は、ステップＳ３で電力蓄積装置２が商用電源による強制充電状態になっているかどうかを確認し、エレベータ制御回路１に報告する。
【００１４】
強制充電状態となっている場合は、ステップＳ４でエレベータ制御回路１がかご室内表示装置５の停電時自動運転表示灯９に対して点滅信号を出力する。この場合の信号は、上述した故障時と異なり、停電時自動運転表示灯９は、0.6secの点灯及び0.6secの消灯を繰り返す。(2.4secの消灯がない。)なお、ステップＳ３で強制充電状態となっていない場合は、ステップＳ５で停電発生時に動作する停電時自動運転をエレベータが実施しているかどうかを確認する。
【００１５】
停電時自動運転を実施している場合は、ステップＳ６でエレベータ制御回路１はかご室内表示装置５の停電時自動運転表示灯９に対して点灯信号を出力する。これにより、停電時自動運転表示灯９は連続点灯する。ステップＳ５で停電時自動運転を実施していない場合は、ステップＳ７でエレベータ制御回路１はかご室内表示装置５の停電時自動運転表示灯９に対して消灯信号を出力する。
【００１６】
この実施の形態は以上のように構成されているため、特別な装置を必要とせず標準的に設置されるかご室内表示装置５を用いて、電力蓄積装置２の状態を乗客に表示することができ、電力蓄積装置２が故障しているにも関わらず、乗客に対して何の警告も出さずにエレベータを継続使用するというような事態を防止することができる。
【００１７】
また、電力蓄積装置２が強制充電状態になっていることをかご室内にいながら知ることが可能となったので、電力蓄積装置２のメンテナンス性を向上することができる。
なお、以上の説明で、停電時自動運転表示灯９に出力する特殊点滅信号は、一例を示したものであり、点灯や消灯及び点滅の回数を故障内容に応じて変更あるいは組み合わせることにより、種々の故障情報をかご室内に詳細に表示することが出来ることは云うまでもない。
【図面の簡単な説明】
【００１８】
【図１】この発明の実施の形態１によるエレベータの全体的な制御構成を示すブロック図である。
【図２】実施の形態１におけるかご室内表示装置の構成を示す概略図である。
【図３】実施の形態１の故障時における特殊点滅信号の一例を示す波形図である。
【図４】実施の形態１の動作を説明するためのフローチャートである。
【符号の説明】
【００１９】
１  エレベータ制御回路、
２  電力蓄積装置、
３  故障判定装置、
４  強制充電判定装置、
５  かご室内表示装置。
【図１】
2005096900.tif 000003
【図２】
2005096900.tif 000004
【図３】
2005096900.tif 000005
【図４】
2005096900.tif 000006